(57)【要約】    【課題】柔軟かつ張りが弱い薄手の合成樹脂製のシート状の生地がプレス機などで打ち抜き成形されたエプロンの周縁がエプロンの着用者また取扱者の皮膚などを傷つけるのを防止する首掛けエプロンを提供する。【解決手段】胸当て部１及び首掛け部２とからなるエプロンＡの周縁に、一本の綿製のバイヤステープ３を幅方向に折り曲げてこの表裏面に当て、縫い糸４によって縫合している乳幼児用のエプロン。【選択図】図１
0003139303.tif 000002
【実用新案登録請求の範囲】
【請求項１】
柔軟かつ張りが弱い薄手の合成樹脂製のシート状の生地をプレス機で打ち抜いて胸当て部及び首掛け部を同時形成してなる首掛けエプロンにおいて、少なくとも前記首掛け部の内周縁が柔軟なカバー材で被覆されている首掛けエプロン。
【請求項２】
さらに前記首掛け部の外周縁および胸当て部の周縁が柔軟なカバー材で被覆されている請求項１記載の首掛けエプロン。
【請求項３】
前記カバー材が織物生地のバイヤステープである請求項１記載の首掛けエプロン。
【請求項４】
前記首掛け部が左右一対に形成され、かつ、その挿入口がΩ状に形成されている請求項１載の首掛けエプロン。
【請求項５】
前記首掛け部が乳幼児の肩幅程度の幅広の面によって形成されている請求項１記載の首掛けエプロン。
【請求項６】
前記首掛け部の先部にこの先部同士を上下に重ね合わせて連結するための連結部材の雌雄部をそれぞれ設け、これらの雌雄部のいずれか一方あるいは両方を複数個、設けている請求項４記載の首掛けエプロン。
【考案の詳細な説明】
【技術分野】
【０００１】
本考案は合成樹脂製のシート状の生地をプレス機によって打ち抜き成形してなる首掛けエプロンに関する。
【背景技術】
【０００２】
合成樹脂製の薄手のシート状の生地をプレス機で打ち抜いて胸当て部及び首掛け部を同時成形した合成樹脂製の首掛けエプロンは、打ち抜かれた部分、つまり胸当て部及び首掛け部の周縁が鋭利になってしまう。そのため、エプロンの着用時またその取扱い時、その周縁、とくに首回りに装着される首掛け部の内周によって皮膚が傷つくという問題がある。特に乳幼児の皮膚は柔らかくかつ薄いので、傷つきやすい。
【考案の開示】
【考案が解決しようとする課題】
【０００３】
本考案は、プレス機などで打ち抜き成形されたエプロンの周縁がエプロンの着用者また取扱者の皮膚などを傷つけるのを防止する首掛けエプロンを提供することを技術的課題としている。
【課題を解決するための手段】
【０００４】
本考案の首掛けエプロン（請求項１）は、柔軟かつ張りが弱い薄手の合成樹脂製のシート状の生地をプレス機で打ち抜いて胸当て部及び首掛け部を同時形成してなる首掛けエプロンにおいて、少なくとも前記首掛け部の内周縁が柔軟なカバー材で被覆されていることを特徴としている。
【０００５】
さらに前記首掛け部の外周縁および胸当て部の周縁が柔軟なカバー材で被覆されているのが好ましい（請求項２）。
【０００６】
前記カバー材は、織物生地のバイヤステープであるのが好ましい（請求項３）。
【０００７】
前記首掛け部は、左右一対に形成され、かつ、その挿入口がΩ状に形成されているのが好ましい（請求項４）。
【０００８】
前記首掛け部は、乳幼児の肩幅程度の幅広の面によって形成されているのが好ましい（請求項５）。
【０００９】
前記首掛け部は、この先部に先部同士を上下に重ね合わせて連結するための連結部材の雌雄部をそれぞれ設け、これらの雌雄部のいずれか一方あるいは両方を複数個、設けているのが好ましい（請求項６）。
【考案の効果】
【００１０】
本考案の首掛けエプロン（請求項１）は、柔軟かつ張りが弱い薄手の合成樹脂製のシート状の生地をプレス機で打ち抜いてその胸当て部及び首掛けを同時形成しているので、胸当て部及び首掛け部の周縁は鋭利になっているが、少なくとも前記首掛け部の内周縁は柔軟なカバー材で被覆されているので、エプロンの着用者の首回りの皮膚を傷つけることはない。
【００１１】
さらに前記首掛け部の外周縁および胸当て部の周縁が柔軟なカバー材で被覆されている場合（請求項２）、エプロンは周縁全体が柔軟なカバー材で覆われているので、その周縁のどの部分が皮膚に触れても、皮膚を傷つけることはない。
【００１２】
前記カバー材が、織物生地のバイヤステープである場合（請求項３）、柔軟なので、周縁がどのような形状であっても、滑らかに被覆することができる。したがって、胸当て部及び首掛け部の周縁は滑らかに覆われているので、皮膚へソフトに接触することができる。
【００１３】
前記首掛け部が、左右一対に形成され、かつ、その挿入口がΩ状に形成されている場合（請求項４）、首掛け部の挿入口は狭い。つまり首掛け部の先部同士は接近している。したがって、首掛け部の先部同士を連結するのは簡単迅速に行える。
【００１４】
前記首掛け部が、乳幼児の肩幅程度の幅広の面によって形成されている場合（請求項５）、左右の首掛け部を連結すると、連結されることによって形成される首回りの周囲は面が形成される。またこの面は柔軟なので、エプロンを着用したとき、身体に沿う。したがってエプロンは首回りの周辺が身体に沿うので、その着用状態は安定感がある。
【００１５】
前記首掛け部の先部にこの先部同士を上下に重ね合わせて連結するための連結部材の雌雄部をそれぞれ設け、これらの雌雄部のいずれか一方あるいは両方を複数個、設けている場合（請求項６）、首掛け部の連結部材はこの雌雄部同士を連結する組み合わせ方法が複数ある。したがって首回りの大きさはこの雌雄部の組み合わせ方法によって、変更することができる。また、エプロンの首回りを着用者の首回りに可及的に合わせることができるので、その着用状態は一層、安定感がある。
【００１６】
つぎに図面を参照しながら本発明のエプロンの実施形態を説明する。
図１は本発明のエプロンの一実施形態を示す展開正面図、図２は図１のＡ−Ａ線断面、図３ａ、図３ｂ、そして図３ｃは本発明の袋部の形成過程を示す一部正面図、図４は図１のエプロンの使用状態の斜視図である。
【００１７】
図１に示す首掛けエプロンＡは、胸当て部１とその上方の両側に設けられる左右の首掛け部２が一枚のシートＢをプレス機で打ち抜いて成形されている。また、胸当て部１及び首掛け部２は略瓢箪形に打ち抜かれ、また首掛け部２は、その内周及び挿入口が略Ω形に打ち抜かれている。首掛け部の幅Ｗは、概ね、乳幼児の肩部を覆う程度になっている。シートＢの素材としては軟質性ＰＯ（ポリオレフィン）系シートを使用している。その厚さは０．１〜０．４ｍｍのものが好ましい。さらには０．２〜０．３ｍｍのものが柔軟かつエプロンに適した弱い張り力を有しているので一層好ましい。このようなシートはエプロンに最適な弱い張りを有しているものの非常に柔軟で、かつ、表裏面が滑らかで、２本の指先でシート表面を引き寄せることができ、折り曲げが抵抗なく簡単にできる。またシートが重なり合って厚みが倍になっても極端に厚みが増すことは無く、また柔軟であるから、後述する袋の形成が片方の手の指先によって簡単容易に行うことができる。このシートＢとしては厚さが０．３ｍｍ前後のエマソフトアース（オカモト株式会社製）などを使用することができる。このような薄肉のシートＢは、プレス機によって打ち抜かれたところが鋭利に切断されるため、胸当て部１及び首掛け部２の周縁は鋭利になっている。
【００１８】
図１及び図２に示すように、胸当て部１及び首掛け部２の周縁には、一本の綿製のバイヤステープ３を幅方向に折り曲げてこの周縁の表裏面に当て、縫い糸４によって縫合している。鋭利な周縁はバイヤステープ３によって、完全に包みこまれている。ただし、首掛け部２の内周及び挿入口１２の縁のみにバイヤステープ３を設けてもよい。また、この周縁を包みこんだバイヤステープ３の周縁の端面は、図２に示すように、小湾曲になっているので、胸当て部１及び首掛け部２の周縁が皮膚に接触、また当たっても傷つけることはない。また、バイヤステープ３で包まれた周縁の厚みは、シートＢの厚みよりも厚くなっているので、バイヤステープ３とシートＢとの境目には段差Ｃが形成されている。そのため、シートＢを持った指先が滑っても、段差Ｃに引っ掛かるので、シートＢを落とすことは防止されている。なお、バイヤステープ３はその他の織物地あるいはナイロン製であってもよい。
【００１９】
エプロンＡは胸当て部１の両側に係合凸５ａを有している雄部５と該係合凸５ａに係合する係合凹６ａを有している雌部６とからなる連結部材７をそれぞれに設けるとともに、その雄部５と雌部６との間に雄部５の係合凸５ａが貫通する貫通孔９を設けている。この貫通孔９は鳩目金具によって小穴を設けるとともに、その小穴の周囲にその鳩目金具８を取り付けている。この鳩目金具８の表面は滑らかなので、指先やその他の皮膚が触れても傷つけることはない。しかし、貫通孔９は、前記一枚のシートをエプロンの輪郭形状にプレス機で打ち抜くときに同時に打ち抜いただけのものでもよい。前記雄部５、貫通孔９そして雌部６は外側に凸湾する仮想ラインＬの上に配置されているが、雄部５は係合凸５ａがエプロンＡの裏面側に有するように設けられ、また雌部６は係合凹６ａがエプロンＡの表面側に有するように設けられている。また、首掛け部２の両端には前記の胸当て部と同じ係合凸５ａを有している雄部５と該係合凸５ａに係合する係合凹６ａを有している雌部６とからなる連結部材７をそれぞれに設けている。この雄部５は複数個、また、雌部６は１個、設けている。ただしこの雌雄部の個数は逆でもよく、両方とも複数個としてもよい。前記の仮想ライン上の雌部６及び雄部５及び首掛け部２の雌部６及び雄部５は、いずれも段差Ｃに接近しているので、雌雄部同士を結合するときには、指先が自然と段差Ｃ、またバイヤステープに触り、シートＢから滑り落ちるのを防止する。つまり、段差Ｃはバイヤステープ３とともに指先の滑り止め作用をする。
【００２０】
次に、図４に示すポケット１０及び首回り部１１の形成方法について説明する。
ポケットについては、図３ａに示すように、胸当て部１をその表面側より指先Ｆ１、Ｆ２で摘み、雄部５および貫通孔９を矢印で示すようにそれぞれ内向きに引き寄せる。ついで図３ｂ（指先は図示省略）に示すように、前記係合凸５ａを矢印で示すように貫通孔９に貫通させ、図３ｃに示すように先の指先Ｆ１、Ｆ２で前記貫通孔９に係合凸５ａが貫通した状態を支持しながら同時に胸当て部１が三角形状に重なり合っている状態を保持する。そしてそのままの状態で係合凸５ａと係合凹６ａ係合させる。その後、他側方の連結部材も同様に結合させる。このようにポケットを形成するに際し、貫通孔９には指先Ｆ１、Ｆ２が接触せざるをえないが、貫通孔９は回りが金具８で覆われているので、指先などを傷つけることはない。
【００２１】
また、首回り部１１については、首掛け部２の幅Ｗが前述のとおり、比較的、幅広になっているので、例えば、図１に示す左の首掛け部の先部の一方を第２指から第４指までの指先全体に乗せて、雄部５に雌部６を連結させることができる。左右の手の指先のみで連結するよりも安定した状態で、左右の首掛け部の連結作業ができる。したがって、エプロンを簡単かつ迅速に着用させることができる。首回り部１１の周縁は、前述のとおりバイヤステープ３で包みこまれて安全になっているので、着用者の首の太さに応じて、雄部５のいずれか一方を雌部６に連結することができる。着用状態は首掛け部が比較的、幅広になっているので、首回り部は首の付け根周辺に沿うので、安定する。仮にエプロンが動いても、首回り部が首の皮膚を傷つけることはない。エプロンＡを首から外すとき、図１に示すように首掛け部２の連結を解除し、胸当て部１を下方に引っ張ることによって、簡単に首からはずすことができる。このとき挿入口１２が首の横側を擦っても、首を傷つけることはない。
【００２２】
図４に示すように、胸当て部１の下方はポケット１０の背面を兼ねているが、この胸当て部１の両側はシートＢを三角形状に折り重ねた三層で形成されている。したがって胸当て部１の下方両側あるいはポケット１０の背面両側は前記三層形成による張力で胸当て部１の平面状態が保持されると共にポケット１０の口部１３を横方向に確実に広げることを可能している。また口部１３の全面はシートＢが反転方向に原状復帰しようとする緩やかな張力によって緩やかに湾曲形成されるので、口部１３は大きく開口することになる。さらに底部１４は略Ｖ字状に形成されているが、該Ｖ字状の底は前記袋部の背面の両側に形成されたそれぞれの三角形状の頂角を結ぶラインが底を形成しているので、矢印で示す両側からの外力によって袋部の形状が変形したり、また前面が前方向に倒れてしまったりするようなことは防止されている。
【００２３】
ポケット１０はこのように充分な開口と左右方向への張り状態を得ることができたから、胸当て部１の両側が側襠に変化することはなく、またエプロンＡの幅が減幅することはない。したがって使用者の胸はエプロンで広範囲にカバーされ、横幅が広いそれ相当の開口部を有するポケットを有しているので、左右側をキョロキョロしながら食事をする乳幼児には広範囲の食べこぼしを最大限に防止している。
【図面の簡単な説明】
【００２４】
【図１】本発明のエプロンの一実施形態を示す展開正面図である。
【図２】図２ａ、図２ｂおよび図２ｃはそれぞれ図１のエプロンに袋部を形成する過程を示す要部正面図である。
【図３】図１のエプロンの斜面図である。
【図４】図１のエプロンの使用状態説明図である。
【符号の説明】
【００２５】
１ 胸当て部
２ 首掛け部
３ バイヤステープ
４ 縫い糸
５ 雄部
５ａ  係合凸
６  雌部
６ａ  係合凹
７ 連結部材
８ 鳩目金具
９ 貫通孔
１０ ポケット
１１首回り
１２  挿入口
１３  口部
１４  底部
Ａ エプロン
Ｂ シート
Ｃ  段差
Ｌ 仮想ライン
Ｆ１ 指先
Ｆ２ 指先
Ｆ３ 指先
【図１】
0003139303.tif 000003
【図２】
0003139303.tif 000004
【図３】
0003139303.tif 000005
【図４】
0003139303.tif 000006